(57)【特許請求の範囲】
【請求項１】
つぎの特定事項（１）〜（７）を充足する発明。
（１）同一構成の多数のモジュールを縦横に組み合わせることで大画面のマルチカラーＬＥＤディスプレイ装置を構築するためのパネル型ＬＥＤ表示モジュールである。
（２）矩形のプリント配線板の正面に縦ｍ個・横ｎ個の画素ランプが一定ピッチｐで行列配置されている。１つの画素ランプは３原色ＬＥＤの集合体であり、１つの画素ランプの占有空間の縦寸法をａ・横寸法をｂとする。ランプ配列ピッチｐは画素ランプ寸法ａ・ｂの数倍に設定されている。前記プリント配線板の縦寸法Ｍと横寸法Ｎはほぼつぎの式で表される。
Ｍ＝（ｍ−１）×ｐ＋ａ
Ｎ＝（ｎ−１）×ｐ＋ｂ
（３）前記プリント配線板は矩形のパネル型ケースに収納されている。このパネル型ケースの縦横の外形寸法Ｈ・Ｗはほぼつぎの式で表される。
Ｈ＝ｍ×ｐ
Ｗ＝ｎ×ｐ
（４）前記パネル型ケース内において、前記プリント配線板の上辺は前記パネル型ケースの上辺にできるだけ近接して配置されており、前記プリント配線板の下辺と前記パネル型ケースの下辺との間には（ｐ−ａ）に近い寸法の間隔がある。
（５）前記プリント配線板の正面において、各画素ランプの間隔部分に各画素ランプを駆動するための複数個の集積回路が実装されている。これら集積回路に回路接続された２本の信号ケーブルが前記プリント配線板の下辺側に引き出されている。これら信号ケーブルの先端にはそれぞれコネクタが取り付けられている。
（６）前記パネル型ケースにおける前記プリント配線板の下辺の下側に位置する前記間隔部分には前記コネクタ付きの信号ケーブルを収容するための空間であるケーブル・コネクタ収容部が形成されている。
（７）同一構成の多数のモジュールを縦横に組み合わせる場合に、隣り合うモジュールの前記信号ケーブルの前記コネクタを相互接続することで表示用のデータ信号やコントロール信号の伝送路が構成される。
【請求項２】
請求項１に記載のパネル型ＬＥＤ表示モジュールであって、前記プリント配線板の正面における各画素ランプの間隔部分に電源回路であるＤＣ／ＤＣコンバータが分散的に実装されており、このＤＣ／ＤＣコンバータに入力電源を供給するためのコネクタ付きの電源ケーブルが前記プリント配線板の下辺から前記ケーブル・コネクタ収容部側に引き出されていることを特徴とするパネル型ＬＥＤ表示モジュール。
【請求項３】
請求項１または請求項２に記載のパネル型ＬＥＤ表示モジュールであって、前記パネル型ケースは、前記プリント配線板の４辺を取り囲む外枠体と、この外枠体の下辺部分に付設された前記ケーブル・コネクタ収容部と、前記外枠体の内側にあって前記プリント配線板の背面側を覆う背面カバーと、前記外枠体の内側にあって前記プリント配線板の正面側を覆う正面カバーとを備え、前記正面カバーには前記画素ランプを露呈させるためのランプ窓が行列配置されて形成されていることを特徴とするパネル型ＬＥＤ表示モジュール。
【請求項４】
請求項３に記載のパネル型ＬＥＤ表示モジュールであって、前記外枠体と前記背面カバーと前記プリント配線板は固定的に一体化されており、この一体物に対して前記正面カバーがネジ止めされ、前記ケーブル・コネクタ収容部の正面は前記正面カバーとは別体の小さなサブカバーにより塞がれており、このサブカバーはスナップフィット機構により前記ケーブル・コネクタ収容部に着脱自在に装着されていることを特徴とするパネル型ＬＥＤ表示モジュール。
【請求項５】
請求項１〜４のいずれかに記載のパネル型ＬＥＤ表示モジュールであって、前記パネル型ケースには、正面側から背面側に前記プリント配線板をも貫通したネジ挿通穴を伴った筒状体が複数個形成されていることを特徴とするパネル型ＬＥＤ表示モジュール。
【請求項６】
請求項１〜５のいずれかに記載のパネル型ＬＥＤ表示モジュールであって、前記信号ケーブルの根元近傍部分にはケーブルを取り囲むように埋め込んだプラスチック製の防水駒が一体成形されていて、この防水駒は前記パネル型ケースにおける下辺内壁に沿ってその内側に位置決め固定され、前記プリント配線板の正面側に一定の厚みで充填された防水樹脂が前記防水駒の内側周囲を取り囲んでいることを特徴とするパネル型ＬＥＤモジュール。
【発明の詳細な説明】
【０００１】
【発明が属する技術分野】
この発明は、たとえば都会のビル外壁などに設置される大画面マルチカラーＬＥＤディスプレイ装置を構築するためのパネル型ＬＥＤ表示モジュールに関し、とくに、価格の低減と薄型化や設置工事の容易化を実現する技術に関する。
【０００２】
【従来の技術】
高輝度な青色ＬＥＤ（発光ダイオード）の実用化により高性能なフルカラーＬＥＤディスプレイ装置が実現できるようになった。ＬＥＤディスプレイは、高輝度であることと大画面化が比較的容易であることから、街頭や空港などでの公衆ディスプレイとして応用されることが多い。
【０００３】
大画面ＬＥＤディスプレイ装置は、適当に小さな寸法のＬＥＤ表示モジュールを縦横に組み合わせることで必要な寸法の大画面を構成する基本設計となっている。１つのＬＥＤ表示モジュールには、たとえば８×８＝６４個の画素ランプが一定ピッチで行列配置されている。１つの画素ランプはＲＧＢ３原色のＬＥＤランプの集合体である。たとえば１２００台のモジュールを縦３０・横４０の比で組み合わせることで、縦２４０画素・横３２０画素の大画面を作る。
【０００４】
従来のこの種のＬＥＤ表示モジュールは、ＬＥＤが行列配置された正面の寸法に対して半分近いの奥行き寸法の直方体のケーシング形状になっていた。それは、つぎのような内部構造に起因している。矩形の正面プリント配線板に多数の画素ランプ（ＬＥＤ）が実装されている。この正面プリント配線板の背面に何枚かのプリント配線板が直交して取り付けられているか、正面プリント配線板の背面側に適当な間隔を保って別のプリント配線板が平行に取り付けられている。これらの背面プリント配線板に表示駆動回路や電源回路（ＤＣ／ＤＣコンバータ）が実装されているとともに、これら全体が奥行き寸法の大きな直方体のケーシングに内蔵されている。
【０００５】
大画面構成用の適当な枠構造体を用意し、その枠内に多数のＬＥＤ表示モジュールを縦横に並べて配設する。各ＬＥＤ表示モジュールのケーシング背面にデータ信号やコントロール信号の端子と電源端子があり、これら背面側の端子群に信号ケーブルや電源ケーブルをシステム的に接続する。
【０００６】
【発明が解決しようとする課題】
従来のＬＥＤ表示モジュールは、ケーシングの奥行き寸法が大きいのに加えて、そのケーシングの背面側に信号ケーブルや電源ケーブルを接続する構成となっていたので、多数のモジュールを組み合わせて大画面を構成するときに、その画面構成体の厚みがきわめて大きくなり、全体の重量も大きくなるという問題があった。そのためビル壁面などに簡単に付設することができなかった。ディスプレイ設置用の構造をビル壁面にあらかじめ施工しておくか、ビル壁面に大掛かりな変更工事を行う必要があった。またモジュール単体についても、部品点数が多いとともに組立工数も多く、そのため価格が高くなるし、重量が大きいとか、高い信頼性の防水構造を容易に実現できないなどの問題もあった。
【０００７】
この発明は前述した従来の問題点に鑑みなされたもので、その目的は、モジュール自体を薄型のパネル構造とするとともに、多数のモジュールを組み合わせて大画面を構成する際の背面側の配線を著しく簡素なものにでき、ビル壁面への設置工事が簡単で、部品点数および組立工数が少なくて安価に構成できるパネル型ＬＥＤ表示モジュールを提供することにある。
【０００８】
【課題を解決するための手段】
＝＝＝第１の発明＝＝＝
第１の発明はつぎの事項（１）〜（７）により特定されるものである。
（１）同一構成の多数のモジュールを縦横に組み合わせることで大画面のマルチカラーＬＥＤディスプレイ装置を構築するためのパネル型ＬＥＤ表示モジュールである。
（２）矩形のプリント配線板の正面に縦ｍ個・横ｎ個の画素ランプが一定ピッチｐで行列配置されている。１つの画素ランプは３原色ＬＥＤの集合体であり、１つの画素ランプの占有空間の縦寸法をａ・横寸法をｂとする。ランプ配列ピッチｐは画素ランプ寸法ａ・ｂの数倍に設定されている。前記プリント配線板の縦寸法Ｍと横寸法Ｎはほぼつぎの式で表される。
Ｍ＝（ｍ−１）×ｐ＋ａ
Ｎ＝（ｎ−１）×ｐ＋ｂ
（３）前記プリント配線板は矩形のパネル型ケースに収納されている。このパネル型ケースの縦横の外形寸法Ｈ・Ｗはほぼつぎの式で表される。
Ｈ＝ｍ×ｐ
Ｗ＝ｎ×ｐ
（４）前記パネル型ケース内において、前記プリント配線板の上辺は前記パネル型ケースの上辺にできるだけ近接して配置されており、前記プリント配線板の下辺と前記パネル型ケースの下辺との間には（ｐ−ａ）に近い寸法の間隔がある。
（５）前記プリント配線板の正面において、各画素ランプの間隔部分に各画素ランプを駆動するための複数個の集積回路が実装されている。これら集積回路に回路接続された２本の信号ケーブルが前記プリント配線板の下辺側に引き出されている。これら信号ケーブルの先端にはそれぞれコネクタが取り付けられている。
（６）前記パネル型ケースにおける前記プリント配線板の下辺の下側に位置する前記間隔部分には前記コネクタ付きの信号ケーブルを収容するための空間であるケーブル・コネクタ収容部が形成されている。
（７）同一構成の多数のモジュールを縦横に組み合わせる場合に、隣り合うモジュールの前記信号ケーブルの前記コネクタを相互接続することで表示用のデータ信号やコントロール信号の伝送路が構成される。
【０００９】
＝＝＝第２の発明＝＝＝
第１の発明に係るパネル型ＬＥＤ表示モジュールであって、前記プリント配線板の正面における各画素ランプの間隔部分に電源回路であるＤＣ／ＤＣコンバータが分散的に実装されており、このＤＣ／ＤＣコンバータに入力電源を供給するためのコネクタ付きの電源ケーブルが前記プリント配線板の下辺から前記ケーブル・コネクタ収容部側に引き出されていることを特徴とする。
【００１０】
＝＝＝第３の発明＝＝＝
第１または第２の発明に係るパネル型ＬＥＤ表示モジュールであって、前記パネル型ケースは、前記プリント配線板の４辺を取り囲む外枠体と、この外枠体の下辺部分に付設された前記ケーブル・コネクタ収容部と、前記外枠体の内側にあって前記プリント配線板の背面側を覆う背面カバーと、前記外枠体の内側にあって前記プリント配線板の正面側を覆う正面カバーとを備え、前記正面カバーには前記画素ランプを露呈させるためのランプ窓が行列配置されて形成されていることを特徴とする。
【００１１】
＝＝＝第４の発明＝＝＝
第３の発明に係るパネル型ＬＥＤ表示モジュールであって、前記外枠体と前記背面カバーと前記プリント配線板は固定的に一体化されており、この一体物に対して前記正面カバーがネジ止めされ、前記ケーブル・コネクタ収容部の正面は前記正面カバーとは別体の小さなサブカバーにより塞がれており、このサブカバーはスナップフィット機構により前記ケーブル・コネクタ収容部に着脱自在に装着されていることを特徴とする。
【００１２】
＝＝＝第５の発明＝＝＝
第１ないし第４の発明に係るパネル型ＬＥＤ表示モジュールであって、前記パネル型ケースには、正面側から背面側に前記プリント配線板をも貫通したネジ挿通穴を伴った筒状体が複数個形成されていることを特徴とする。
【００１３】
＝＝＝第６の発明＝＝＝
第１ないし第５の発明に係るパネル型ＬＥＤ表示モジュールであって、前記信号ケーブルの根元近傍部分にはケーブルを取り囲むように埋め込んだプラスチック製の防水駒が一体成形されていて、この防水駒は前記パネル型ケースにおける下辺内壁に沿ってその内側に位置決め固定され、前記プリント配線板の正面側に一定の厚みで充填された防水樹脂が前記防水駒の内側周囲を取り囲んでいることを特徴とする。
【００１４】
【発明の実施の形態】
この発明の一実施例によるパネル型ＬＥＤ表示モジュールの構造について添付図面とともに詳細に説明する。このモジュールを構成する主な部品は、各種の回路部品を実装した図１に示すプリント配線板１と、パネル型ケースのベースとなる図２に示すケース基体２と、図３に示す背面カバー３と、図４に示す内部枠体４と、図５に示す正面カバー５と、図６に示すサブカバー６である。これらを組み合わせて構成したモジュールを図７と図８に示している。
【００１５】
＝＝＝プリント配線板１と実装部品＝＝＝
プリント配線板１は一辺が２２５ｍｍの正方形であり、その正面に６４個の画素ランプが３０ｍｍのピッチで８×８の行列に配列されている。１つの画素ランプは、２個の赤色ＬＥＤランプ７ｒと１個の緑色ＬＥＤランプ７ｇと１個の青色ＬＥＤランプ７ｂとの集合体である。これら４個のランプは２×２の行列でできるだけ近接して配置されており、４個の集合体（画素ランプ７と記す）の占有空間の縦寸法はほぼ１０ｍｍ以内に収まり、横寸法はほぼ１２ｍｍ以内に収まる。したがって、隣り合う画素ランプ７と画素ランプ７と間には縦方向にほぼ２０ｍｍの大きな間隔があり、横方向にほぼ１８ｍｍの大きな間隔がある。
【００１６】
プリント配線板１の正面における各画素ランプ７の大きな間隔部分に複数の回路素子が表面実装されており、各画素ランプ７を表示駆動する回路系と、ＤＣ／ＤＣコンバータからなる電源回路系とが構成されている。配線板１に分散配置された１２個のＱＦＰタイプ集積回路８が表示駆動回路系の主要素である。配線板１の左右両辺近くに４つのＤＣ／ＤＣコンバータが実装されている。１つのＤＣ／ＤＣコンバータは、１個のスイッチング制御用のＳＯＰタイプ集積回路９と、３個のインダクタ１０と、１個の主スイッチングトランジスタ１１と、１個の主キャパシタ１２などによって構成されている。そのほか、大画面ディスプレイを構成する際の他のモジュールとデータ転送するための回路系や、水晶発振回路などが実装されている。
【００１７】
またプリント配線板１の下辺側には、入力信号ケーブル１３と出力信号ケーブル１４と電源ケーブル１５が回路接続されている。これら各ケーブルの先端には防水型コネクタ１３ａ・１４ａ・１５ａが一体化されている。多数のモジュールにより大画面ディスプレイを構成する際に、あるモジュールの入力信号ケーブル１３と隣のモジュールの出力信号ケーブル１４とをコネクタ接続することで、各モジュールを横断するデータ転送路が形成され、表示制御装置から送り出される表示データ信号とコントロール信号が各モジュールに分配される。電源ケーブル１５のコネクタ１５ａは所定の直流電源に接続される。
【００１８】
プリント配線板１の下辺には３本のケーブル１３・１４・１５を通すための切欠部１６が形成されている。また各ケーブル１３・１４・１５の根元部分（配線板１の下辺に位置する部分）にはケーブル固定用の防水駒１７がケーブルを取り囲むように装着されている。
またプリント配線板１には、四隅寄りにそれぞれ１個の大穴３８が形成されているとともに、多数の中穴３９と、いくつかの小穴が分散して形成されている。
【００１９】
＝＝＝ケース基体２と背面カバー３＝＝＝
ケース基体２はプラスチック成形品であり、図２に示すように、矩形の外枠体１８と、その背部において外枠体１８をリブで縦横に連結する骨格体１９と、パネル面に垂直な姿勢で骨格体１９に一体形成されたネジ挿通用の４個の大径の筒状体２０と、同様に骨格体１９に一体成形されたタッピングネジ固定用の小径のネジ止め用ボス２１（長いボスと短いボスとがある）と、同様に骨格体１９に一体成形された位置決め突起２２とを有している。
【００２０】
外枠体１８の左辺部分は外壁２３ａと内壁２３ｂの二重構造になっており、下辺部分は外壁２４ａと内壁２４ｂの二重構造になっている。外枠体１８の上辺と右辺と左辺内壁２３ｂと下辺内壁２４ｂとによって一辺がほぼ２２５ｍｍの正方形の基板収容空間が形成されている。また外枠体１８の外形は一辺がほぼ２４０ｍｍの正方形である。外枠体１８の下辺の外壁２４ａと内壁２４ｂとの間隔部分（内寸はほぼ１１ｍｍである）が前述したケーブル・コネクタ収容部である。
【００２１】
背面カバー３はアルミニウム板のプレス成形品であり、図３に示すように、プリント配線板１よりわずかに小寸法の正方形の板に多数の穴が形成されているとともに絞りによる凹凸が形成されている。図７・図８に示すように、背面カバー３は、ケース基体２の正面側から外枠体１８にはめ込まれて骨格体１９に接して固定される。つまり、骨格体１９から突出している筒状体２０・ネジ止め用ボス２１・位置決め突起２２に干渉しないように、背面カバー３に多数の穴が形成されている。
【００２２】
＝＝＝ケース基体２とプリント配線板１＝＝＝
図７・図８に示すように、プリント配線板１は背面カバー３の上にわずかな間隔を保って重なるように、ケース基体１の外枠体１８にはめ込まれている。プリント配線板１にも骨格体１９から突出した筒状体２０や長いネジ止め用ボス２１と干渉しない穴が形成されている。プリント配線板１は短いネジ止め用ボス２１の上に当接し、配線板１の正面からそのボス２１にタッピングネジを捩じ込むことで配線板１が固定される。
【００２３】
また前述したように、プリント配線板１の下辺側に引き出されている３本のケーブル１３・１４・１５の根元近傍部分にはそれぞれ防水駒１７が装着されているが、これら防水駒１７が外枠体１８の下辺の内壁２４ｂに形成された３個の切欠凹部２５（図２）にはめ込まれる。これにより各ケーブル１３・１４・１５の引き出し位置が規制されるとともに、引き出し部の防水性が高まる構造になっている。
【００２４】
＝＝＝内部枠体４と正面カバー５＝＝＝
内部枠体４はプラスチック成形品であり、図４に示すように細いリブの格子からなり、ケース基体２の外枠体１８にはめ込まれたプリント配線板１の上に重ねるように装着される。内部枠体４の格子はプリント配線板１に実装された画素ランプ７や回路部品に干渉しないとともに、骨格体１９から突出している４本の筒状体２０を貫通させる穴２６が形成されている。
【００２５】
正面カバー５もプラスチック成形品である。図５に示すように、正面カバー５の外形は縦寸法がほぼ２２８ｍｍで横寸法がほぼ２４０ｍｍの長方形であり、ケース基体２の外枠体１８の右辺と左辺外壁２３ａと上辺と下辺内壁２４ｂの上面にぴったりと重なる大きさである。正面カバー５には、各画素ランプ７を外部に露呈させる６４個の矩形のランプ窓２７が３０ｍｍのピッチで縦横に配列形成されている。正面カバー５に形成された４個の大きな穴２８には骨格体１９から突出している筒状体２０が覗いている。正面カバー５に形成された４個の小さな穴２９の直下に骨格体１９から突出している長いネジ止め用ボス２１の上端が当接しており、ここにタッピングネジを捩じ込むことで正面カバー５がケース基体２に固定される。正面カバー５における各ランプ窓２７の上部に、太陽光などが画素ランプ７に直射するのを防止する目的のヒサシ３０が形成されている。
【００２６】
ケース基体２に組み付けられた背面カバー３とプリント配線板１の間の空間にエポキシ樹脂などが充填されるとともに、内部枠体４が組み付けられたプリント配線板１の正面側に一定の厚みでエポキシ樹脂などが充填される。これによってプリント配線板１が収納されたパネル型ケース内をほぼ完全に防水している。
【００２７】
＝＝＝防水駒１７の装着部分の詳細＝＝＝
３本の各ケーブル１３・１４・１５と各防水駒１７の関係、また各防水駒１７と外枠体１８の下辺内壁２４ｂに形成された各切欠凹部２５との関係はみんな同様なので、ここでは図９と図１０に基づいてケーブル１３を代表として説明する。図１０に点線で示すように、ケーブル１３の所定位置の外周に金属リング４０を装着してケーブル１３にかしめて固定し、このリング４０の装着部分を埋め込むようにプラスチックのインサート成形によって防水駒１７をケーブル１３の周囲に一体化している。したがって、ケーブル１３と防水駒１７との接合面はほぼ完全に気密化されているとともに、ケーブル１３と金属リング４０のかしめ結合とこれらを埋め込んでいるプラスチック製防水駒１７との一体構造により、防水駒１７とケーブル１３とがずれることはない（金属リング４０がアンカーのように機能する）。
【００２８】
防水駒１７は、図９に示すようにほぼ直方体をなしており、その正面よりの両側面に縦にスリット４１が形成されている。外枠体１８の下辺内壁２４ｂに形成された各切欠凹部２５は、防水駒１７の正面の寸法に合わせた長方形をなしており、その切欠の両側部には防水駒１７のスリット４１にぴったりはまり込む形状の縦リブ４２が形成されている。また、防水駒１７には縦に貫通したネジ挿通穴４３が形成されている。
【００２９】
図１０に示すように、スリット４１と縦リブ４２とをかみ合わせて防水駒１７を外枠体下辺内壁２４ｂの切欠凹部２５に装着することで、切欠凹部２５による開口が防水駒１７で埋められる。この状態では、防水駒１７のネジ挿通穴４３がケース基体２に一体形成されているネジ止め用ボス２１に合致し、この穴４３にタッピングネジ４４を挿通し、ネジ止め用ボス２１に捩じ込むことで防水駒１７をケース基体２に固定する。
【００３０】
図１０において、細かなドットで表現しているのは、プリント配線板１の正面側にほぼ一定の厚みで充填した防水樹脂（エポキシ、シリコン、耐候性ウレタンなど）である。以上の構造によって各ケーブル１３・１４・１５の引き出し部分はほぼ完璧に防水される。
【００３１】
＝＝＝ケーブル・コネクタ収容部とサブカバー６＝＝＝
以上説明したように、ケース基体２の下辺部分のケーブル・コネクタ収容部の正面は前記の正面カバー５によっては覆われていない。この部分を覆うのは、この部分にぴったり合わせた寸法の細長いサブカバー６である。サブカバー６はスナップフィット機構によりケース基体２に着脱自在に装着される。サブカバー６もプラスチック成形品であり、図６に示すように、サブカバー６の背面の３箇所に弾性爪３１が形成されている。これに対応して外枠体１８の下辺外壁２４ａと内壁２４ｂとの間の３箇所に係合部３２が形成されている。
【００３２】
＝＝＝モジュールの連結据え付け＝＝＝
以上詳しく説明したこの発明のパネル型ＬＥＤ表示モジュールを必要数だけ縦横に連結して据え付けることで大画面ディスプレイを構成する。その際に、各モジュールのケース基体２の外枠体１８同士をくっつけるように配設する。そうすれば、１つのモジュール内の画素ランプ７のピッチが３０ｍｍであり、隣接するモジュール間の画素ランプ７の配列ピッチも３０ｍｍになる。また、１つのモジュールのパネル型ケースには前述の４個の筒状体２０が正面から背面に貫通している。この筒状体２０に正面側からネジを挿通して背面の設置ベースに捩じ込むことで、きわめて簡単に各モジュールを設置ベースに据え付けていくことができる。
【００３３】
多数のモジュールを据え付けてから、サブカバー６を取り外した状態で、隣り合うモジュールの入力信号ケーブルコネクタ１３ａと出力信号ケーブルコネクタ１４ｂとを接続するとともに、電源ケーブルコネクタ１５ａに給電ケーブルコネクタ（図示していない）を接続する。そして、それらコネクタを各モジュールのケーブル・コネクタ収納部の空間に収めた後、そこにサブカバー６を被せて装着する。
【００３４】
なお、この実施例では外枠体１８の左辺の外壁２３ａと内壁３ｂとの間の空間を有効活用していないが、この部分を電源ケーブルの接続収納空間として利用したり、給電系統の接続機構に利用すればさらに望ましい。
【００３５】
【発明の効果】
以上詳細に説明したように、この発明によれば、大画面ディスプレイを構成するためのマルチカラーＬＥＤ表示モジュール自体が薄型のパネル構造になるとともに、高信頼性の防水性能を容易に実現でき、また多数のモジュールを組み合わせて大画面を構成する際の背面側の配線を著しく簡素なものにでき、ビル壁面への設置工事が簡単であり、モジュールを構成する部品点数および組立工数が少なくて安価に量産することができる。
【図面の簡単な説明】
【図１】この発明の一実施例におけるプリント配線板の構成図である。
【図２】この発明の一実施例におけるケース基体の構成図である。
【図３】この発明の一実施例における背面カバーの構成図である。
【図４】この発明の一実施例における内部枠体の構成図である。
【図５】この発明の一実施例における正面カバーの構成図である。
【図６】この発明の一実施例におけるサブカバーの構成図である。
【図７】この発明の一実施例によるパネル型ＬＥＤ表示モジュールの正面図である。
【図８】同上モジュールの断面図である。
【図９】同上モジュールにおける防水駒の装着部分の詳細を示す分解斜視図である。
【図１０】同上防水駒装着部分の詳細を示す平面図である。
【符号の説明】
１  プリント配線板                  ２  ケース基体
３  背面カバー                      ４  内部枠体
５  正面カバー                      ６  サブカバー
７  画素ランプ                      ７ｒ  赤色ＬＥＤランプ
７ｇ  緑色ＬＥＤランプ              ７ｂ  青色ＬＥＤランプ
８  ＱＦＰタイプ集積回路            ９  ＳＯＰタイプ集積回路
１０  インダクタ                    １１  主スイッチングトランジスタ
１２  キャパシタ                    １３  入力信号ケーブル
１４  出力信号ケーブル              １５  電源ケーブル
１３ａ・１４ａ・１５ａ  防水型コネクタ
１６  切欠部                        １７  防水駒
１８  外枠体                        １９  骨格体
２０  筒状体                        ２１  ネジ止め用ボス
２２  位置決め突起                  ２３ａ  左辺の外壁
２３ｂ  左辺の内壁                  ２４ａ  下辺の外壁
２４ｂ  下辺の内壁                  ２７  ランプ窓
３０  ヒサシ                        ３１  弾性爪
３２  係合部
【図１】
0004545281.tif 000002
【図２】
0004545281.tif 000003
【図３】
0004545281.tif 000004
【図４】
0004545281.tif 000005
【図５】
0004545281.tif 000006
【図６】
0004545281.tif 000007
【図７】
0004545281.tif 000008
【図８】
0004545281.tif 000009
【図９】
0004545281.tif 000010
【図１０】
0004545281.tif 000011